(57)【要約】【課題】排泄物由来の臭気に対するマスキング効果に優れる吸収性物品を提供すること。【解決手段】本発明の吸収性物品は、肌対向面側に位置する表面シート１２、非肌対向面側に位置する裏面シート１３、及びこれら両シート間に介在された吸収体１４を備えている。吸収性物品は、吸収体１４よりも裏面シート１３側に、被酸化性金属及び活性炭を含む発熱部３と、吸収性物品の厚み方向において該発熱部３と隣り合う電解質２と、香料を保持する香料保持組成物５とを備えている。吸収性物品は、液吸収前においては発熱部３と電解質２とを分離した状態に維持し、液吸収時においては発熱部３と電解質２とを接触させる仕切り４を有している。【選択図】図３
2019195414.tif 000002
【特許請求の範囲】
【請求項１】
肌対向面側に位置する表面シート、非肌対向面側に位置する裏面シート、及びこれら両シート間に介在された吸収体を備える吸収性物品であって、
前記吸収性物品の厚み方向における前記吸収体よりも前記裏面シート側に、被酸化性金属及び活性炭を含む発熱部と、前記吸収性物品の厚み方向において該発熱部と隣り合う電解質と、香料を保持する香料保持組成物とを備えており、
液吸収前においては前記発熱部と前記電解質とを分離した状態に維持し、液吸収時においては前記発熱部と前記電解質とを接触させる、仕切りを有している、吸収性物品。
【請求項２】
前記吸収性物品の厚み方向において、前記電解質は、前記発熱部よりも前記表面シート側に配されている、請求項１に記載の吸収性物品。
【請求項３】
前記吸収性物品の厚み方向において、前記香料保持組成物は、前記発熱部又は前記電解質と隣接した状態に配されている、請求項１又は２に記載の吸収性物品。
【請求項４】
前記香料保持組成物は、熱溶解性組成物である、請求項１〜３の何れか１項に記載の吸収性物品。
【請求項５】
前記吸収性物品の厚み方向において、前記香料保持組成物は、前記発熱部及び前記電解質よりも前記裏面シート側に配されている、請求項４に記載の吸収性物品。
【請求項６】
前記香料保持組成物は、水溶性組成物である、請求項１〜３の何れか１項に記載の吸収性物品。
【請求項７】
前記吸収性物品の厚み方向において、前記香料保持組成物は、前記発熱部及び前記電解質よりも前記表面シート側に配されている、請求項６に記載の吸収性物品。
【請求項８】
前記水溶性組成物は、水溶性マイクロカプセルである、前記請求項６又は７に記載の吸収性物品。
【請求項９】
前記仕切りが、前記発熱部と前記電解質との間に介在されるシート状物である、請求項１〜８の何れか１項に記載の吸収性物品。
【発明の詳細な説明】
【技術分野】
【０００１】
本発明は吸収性物品に関する。
【背景技術】
【０００２】
失禁パッド等の吸収性物品として、排泄物由来の臭気をマスキングする目的で、香料を含有したものが提案されている。例えば特許文献１には、表面シートと裏面シートとの間に、芳香剤を内包した可溶性のマイクロカプセルを有する発熱体を備えた吸収性物品が記載されている。特許文献１によれば、包装から開封した際に空気中の水分によってマイクロカプセルの膜が溶解し、芳香剤を拡散して、不快臭による不快感を抑制する。また、特許文献２には、香料及び活性炭等の臭気抑制剤を含み、該香料が高揮発性香料、中揮発性香料、又はそれら混合物である組成物を配合した吸収性物品が記載されている。特許文献２に記載の吸収性物品によれば、尿等の体液由来の臭気を抑制し、さらに該体液によって湿潤されると香料を放出して臭気が除去されたことを知らせる。
【先行技術文献】
【特許文献】
【０００３】
【特許文献１】特開２０１２−７５５６９号公報
【特許文献２】特開平８−５０８４２３号公報
【発明の概要】
【発明が解決しようとする課題】
【０００４】
特許文献１に記載の吸収性物品は、着用状態において着用者の排泄前から香料が揮散するため、排泄時に香料を効果的に揮散させることができず、排泄物由来の臭気に対するマスキング効果を十分に発揮するものではなかった。特許文献２に記載の吸収性物品は、尿等の排泄によって香料を放出するものの、排泄時の香料の拡散性が不十分であった。
【０００５】
したがって、本発明の課題は、前述した従来技術が有する欠点を解消し得る吸収性物品を提供することにある。
【課題を解決するための手段】
【０００６】
本発明は、肌対向面側に位置する表面シート、非肌対向面側に位置する裏面シート、及びこれら両シート間に介在された吸収体を備える吸収性物品であって、前記吸収体よりも前記裏面シート側に、被酸化性金属及び活性炭を含む発熱部と、前記吸収性物品の厚み方向において該発熱部と隣り合う電解質と、香料を保持する香料保持組成物とを備えており、液吸収前においては前記発熱部と前記電解質とを分離した状態に維持し、液吸収時においては前記発熱部と前記電解質とを接触させる、仕切りを有している、吸収性物品を提供するものである。
【発明の効果】
【０００７】
本発明の吸収性物品によれば、排泄時に排泄物由来の臭気を効果的にマスキングする。
【図面の簡単な説明】
【０００８】
【図１】図１は、本発明の吸収性物品の一実施形態である失禁パッドの平面図である。
【図２】図２は、図１のＩＩ−ＩＩ線断面を模式的に示す断面図である。
【図３】図３は、図１に示す失禁パッドの吸収体、電解質、発熱部及び香料保持組成物を模式的に示す断面図である。
【図４】図４は、本発明の吸収性物品の他の実施形態を示す図３相当図である。
【図５】図５は、本発明の吸収性物品のさらに他の実施形態を示す図３相当図である。
【発明を実施するための形態】
【０００９】
以下、本発明の吸収性物品を、その好ましい一実施形態である失禁パッド１に基づき図面を参照して説明する。図１には、本実施形態の失禁パッド１を表面シート１２側から視た平面図が示されている。
【００１０】
失禁パッド１は、図１に示すように、着用時に着用者の液排泄部に対向配置される排泄部対向部Ｂと、該排泄部対向部Ｂよりも着用者の腹側（前側）寄りに配される前方部Ａと、該排泄部対向部Ｂよりも着用者の背側（後側）寄りに配される後方部Ｃとを有している。失禁パッド１は、着用者の前後方向に対応する縦方向Ｘ及び該縦方向Ｘに直交する横方向Ｙを有し、縦方向Ｘに、前方部Ａ、排泄部対向部Ｂ及び後方部Ｃの順番で区分される。着用者の前後方向に対応する縦方向Ｘは、前方部Ａから排泄部対向部Ｂを経て後方部Ｃに向かう方向であり、着用時に、着用者の腹側から股下を通って背側に向かう方向である。また、失禁パッド１は、縦方向Ｘに延びる中心線ＣＬに対して左右対称に形成されている。縦方向Ｘとは、中心線ＣＬに平行な方向でもある。
【００１１】
図２には、本実施形態の失禁パッド１の横方向Ｙに沿う厚み方向断面が示されている。失禁パッド１は、図２に示すように、肌対向面側に位置する表面シート１２、非肌対向面側に位置する裏面シート１３及びこれら両シート１２，１３間に介在された吸収体１４を備えた吸収性本体１０と、該吸収性本体１０の横方向Ｙの両側部に配された一対の防漏カフ１５とを備えている。本実施形態において、表面シート１２は失禁パッド１の肌対向面を形成しており、裏面シート１３は失禁パッド１の非肌対向面を形成している。
【００１２】
本明細書において、肌対向面は、失禁パッド１又はその構成部材（例えば吸収体１４）における、失禁パッド１の着用時に着用者の肌側に向けられる面であり、非肌対向面は、失禁パッド１又はその構成部材における、失禁パッド１の着用時に肌側とは反対側（着衣側）に向けられる面である。
【００１３】
また、本実施形態において、排泄部対向部Ｂは、本実施形態の失禁パッド１のようにウイング部を有しない吸収性物品において、吸収性物品が３つ折りの個装形態に折り畳まれた際に生じる、該吸収性物品を横方向（吸収性物品の横方向、図中のＹ方向）に横断する２本の折曲線（図示せず）について、該吸収性物品の縦方向Ｘの前端から数えて第１折曲線と第２折曲線とに囲まれた領域である。尚、ウイング部を有する吸収性物品においては、吸収性物品の縦方向（吸収性物品の長手方向、図中のＸ方向）において該ウイング部を有する領域（一方のウイング部の縦方向Ｘに沿う付け根と他方のウイング部の縦方向Ｘに沿う付け根とに挟まれた領域）を排泄部対向部Ｂとすることができる。
【００１４】
本実施形態において表面シート１２は、吸収体１４の肌対向面の全域を被覆している。表面シート１２と吸収体１４との間は接着剤によって接合されていてもよい。一方、裏面シート１３は、吸収体１４の非肌対向面の全域を被覆し、更に吸収体１４の縦方向Ｘに沿う両側縁から横方向Ｙの外方に延出して、後述するサイドシート１７と共にサイドフラップ部Ｓを形成している。裏面シート１３の非肌対向面には、ショーツ等の下着に固定するための粘着部が設けられている（不図示）。裏面シート１３とサイドシート１７とは、吸収体１４の縦方向Ｘに沿う両側縁からの延出部において、接着剤、ヒートシール、超音波シール等の公知の接合手段によって互いに接合されている。
【００１５】
本実施形態の表面シート１２は、図２に示すように、１枚のシートからなる単層構造を有している。表面シートは、複数枚のシートからなる複合シートであっても良い。
また、本実施形態の表面シート１２は、肌対向面側の面が平坦なものであるが、凹部及び凸部からなる凹凸領域を有していても良い。
【００１６】
表面シート１２及び裏面シート１３の形成材料としては、それぞれ吸収性物品に従来使用されている各種のもの等を特に制限なく用いることができる。
表面シート１２として、例えば、尿などの体液を透過し得る液透過性シートであることを前提として、合成繊維又は天然繊維からなる織布や不織布、多孔性シート等を用いることができる。不織布としては、各種の製造方法で得られるものを特に制限なく用いることができる。不織布の例としては、スパンレース不織布、スパンボンド不織布、エアスルー不織布、メルトブローン不織布、ニードルパンチ不織布及びレジンボンド不織布などが挙げられる。これらの不織布は、それぞれ単独で用いることができ、あるいは二種以上の不織布の積層体の形態で用いることもできる。
裏面シート１３としては、液不透過性シートを用いることができ、例えば、液不透過性又は撥水性の樹脂フィルム、樹脂フィルムと不織布とのラミネートシート等を用いることができる。裏面シート１３に関し、液不透過性とは、液難透過性も含む概念であり、裏面シート１３が液を全く通さない場合も含まれる。
【００１７】
失禁パッド１では、吸収性本体１０の肌対向面側における縦方向Ｘに沿う両側部に一対のサイドシート１７が配されている。好適には、サイドシート１７は、平面視において、吸収体１４の縦方向Ｘに沿う左右両側部に重なるように、失禁パッド１の縦方向Ｘの全長に亘って配されている。サイドシート１７は、吸収体１４よりも横方向Ｙの外方へ延出しており、その延出部位と、裏面シート１３の横方向Ｙの延出部位とが接合されてサイドフラップ部Ｓを形成している。
【００１８】
本実施形態の失禁パッド１は、前述のように一対の防漏カフ１５を備えている。防漏カフ１５は、横方向Ｙ内方側のサイドシート１７の一部と、該サイドシート１７に伸長状態で固定された１本又は複数本の糸状の弾性部材１６とにより形成されている。防漏カフ１５は、吸収性本体１０側を基端とし着用者の肌側に自由端をなすように起立し、その自由端に縦方向Ｘに沿って前記弾性部材１６が伸長状態で配されている。防漏カフ１５は、吸収体１４の長手方向に沿う両側縁それぞれの近傍に、接着剤等の接合手段によって表面シート１２に固定されている。
【００１９】
サイドシート１７としては、当該技術分野において従来用いられている各種のものを特に制限なく用いることができ、例えば、液不透過性又は撥水性の不織布や樹脂フィルム、樹脂フィルムと不織布との積層体等を用いることができる。
【００２０】
失禁パッド１では、表面シート１２及び裏面シート１３は、吸収体１４の縦方向Ｘの前端及び後端それぞれから縦方向Ｘの外方に延出し、それらの延出部において、接着剤、ヒートシール、超音波シール等の公知の接合手段によって、互いに接合されている。具体的には、表面シート１２及び裏面シート１３は、縦方向Ｘの前端側及び後端側の延出部において、接合部（不図示）により接合されている。
【００２１】
本実施形態の失禁パッド１は、図２に示すように、表面シート１２の非肌対向面側に吸収体１４を備えている。吸収体１４は、失禁パッド１の主たる吸液部位であり、尿等の体液を吸収して保持する機能を有する吸収性コアを備えている。吸収体１４は、吸収性コアを被覆するコアラップシートを備えていても良い。その場合、吸収性コアは、１枚のコアラップシートで被覆されていても良く、吸収性コアの肌対向面側を被覆する肌対向面側コアラップシートと、吸収性コアの非肌対向面側を被覆する非肌対向面側コアラップシートとによって被覆されていても良い。
【００２２】
吸収性コアの形成材料としては、当該技術分野において従来用いられている各種のものを特に制限なく用いることができ、例えば、木材パルプ等の天然セルロース繊維、親水性合成繊維等の繊維材料、粒子状、繊維状等の所定形状の吸水性ポリマー等が挙げられ、これらの１種を単独で又は２種以上を組み合わせて用いることができる。また、これらに加えて抗菌剤等を含んでいても良い。
【００２３】
コアラップシートとしては、液透過性のシートを用いることができ、例えば、ティッシュペーパー等の紙や各種不織布、メッシュシート、開孔フィルム等を用いることができる。
【００２４】
失禁パッド１は、吸収体１４よりも裏面シート１３側に、発熱部３と、電解質２と、香料を保持する香料保持組成物５とを備えている。発熱部３は被酸化性金属及び活性炭を含んでいる。電解質２は、被酸化性金属の酸化反応の反応助剤である。以下、発熱部３と電解質２とを纏めて発熱構造体Ｈともいう。本実施形態の失禁パッド１は、図２に示すように、吸収体１４の非肌対向面側に、発熱構造体Ｈと香料保持組成物５とを備えている。
【００２５】
発熱構造体Ｈは、被酸化性金属の酸化反応によって発熱するものであり、十分な温熱効果を有するものが好ましい。発熱構造体Ｈは、ＪＩＳ規格Ｓ４１００による測定において、発熱温度が好ましくは４０℃以上、より好ましくは４５℃以上であり、また好ましくは６０℃以下、より好ましくは５５℃以下であり、また好ましくは４０℃以上６０℃以下、より好ましくは４５℃以上５５℃以下の性能を有することができる。
発熱構造体Ｈは、水蒸気の発生を伴って発熱するものであってもよいし、水蒸気の発生を実質的に伴わずに発熱するものであってもよい。
【００２６】
発熱部３に含まれる被酸化性金属としては、酸化反応熱を生ずる金属が用いられる。例えば、鉄、アルミニウム、亜鉛、マンガン、マグネシウム、及びカルシウム等が挙げられ、これら１種を単独で又は２種以上を組み合わせて用いることができる。被酸化性金属は、粉末状のものや繊維状のものが挙げられる。中でも、取扱い性、安全性、製造コスト、保存性及び安定性の点から鉄が好ましく、特に鉄粉が好ましい。鉄粉としては、例えば、還元鉄粉、及びアトマイズ鉄粉などが挙げられる。
【００２７】
被酸化性金属が粉末である場合、酸化反応が効率的に行われるという観点から、被酸化性金属の粒子の平均粒径は、１０μｍ以上２００μｍ以下であることが好ましく、２０μｍ以上１５０μｍ以下であることがより好ましい。被酸化性金属の粒径は、粉体の形態における最大長さをいい、例えば篩による分級、動的光散乱法、レーザー回折法等により測定される。
【００２８】
発熱部３に含まれる活性炭は、酸素と被酸化性金属との酸化反応を促進する機能を有している。前記活性炭としては、例えば、椰子殻炭、木炭、暦青炭、泥炭、亜炭等が挙げられ、これら１種を単独で又は２種以上を組み合わせて用いることができ、これら活性炭の微細な粉末状物や小粒状物であることが好ましい。
【００２９】
発熱部３において活性炭と被酸化性金属とは、混合状態で存在していてもよく、層状に積層されて存在していても良く、その他の形態で存在していても良い。
【００３０】
発熱部３は、上述した成分の他、所望の性状に応じて、増粘剤、界面活性剤、薬剤、凝集剤、着色剤、ｐＨ調整剤等を含むこともできる。増粘剤には主として、水分を吸収して稠度を増大させるか、チキソトロピー性を付与する物質を用いることができる。そのような物質の例として、アルギン酸ソーダ等のアルギン酸塩、アラビアゴム、トラガカントゴム、ローカストビーンガム、グアーガム、アラビアガム、カラギーナン、寒天、キサンタンガムなどの多糖類系増粘剤；デキストリン、α化澱粉、加工用澱粉などの澱粉系増粘剤；カルボキシメチルセルロース、酢酸エチルセルロース、ヒドロキシエチルセルロース、ヒドロキシメチルセルロース又はヒドロキシプロピルセルロースなどのセルロース誘導体系増粘剤；ポリビニルアルコール（ＰＶＡ）などの増粘剤；ステアリン酸塩などの金属石鹸系増粘剤；ベントナイトなどの鉱物系増粘剤から選ばれる１種又は２種以上を用いることができる。なかでも、発熱部の成形性確保の観点から、多糖類系増粘剤が好ましい。増粘剤の含有量は、発熱部３の全質量に対して、好ましくは０．１質量％以上５質量％以下である。
また、発熱部３の形態は、ペースト状、ゲル状、シート状、粉末状等の形態とすることができる。
【００３１】
電解質２としては、水に電解して被酸化性金属の酸化反応を促進するものが用いられる。例えば、アルカリ金属やアルカリ土類金属、重金属等の硫酸塩、炭酸塩、塩化物、水酸化物等が挙げられ、これらの物質から選ばれる１種又は２種以上を用いることができる。導電性、化学的安定性、生産コストの観点から、電解質２として、塩化ナトリウム、塩化カリウム、塩化カルシウム、塩化マグネシウム、第１塩化鉄、第２塩化鉄等の各種塩化物、及び硫酸ナトリウムから選ばれる１種又は２種以上を用いることが好ましい。
【００３２】
電解質２の形態としては、ペースト状、ゲル状、シート状、粉末状等が挙げられる。また、電解質２は、他の成分との混合物であっても良い。前記混合物には、界面活性剤、凝集剤等を含有させることができる。
【００３３】
失禁パッド１の厚み方向において、発熱部３と電解質２とは隣り合っている（図３参照）。本実施形態においては、前記厚み方向において発熱部３が電解質２よりも裏面シート１３側に配されているが、該電解質２よりも表面シート１２側に配されていても良い。
【００３４】
香料保持組成物５は、香料を保持する組成物であり、該組成物中に香料を保持しても良く、該組成物からなる外殻内に香料を内包して保持しても良い。香料保持組成物５としては、失禁パッド１において香料を保持し得る組成物を特に制限なく用いることができ、例えば、油脂類、ロウ類、炭化水素類、脂肪酸類、水溶性高分子等が挙げられる。香料保持組成物５の形態としては、ペースト状、ゲル状、シート状、粉末状等が挙げられる。
【００３５】
香料保持組成物５が保持する香料としては、大気圧下で大気中に揮散するものであれば良く、例えば常温常圧の環境下でその香気を知覚し得るものであって、吸収性物品において従来用いられてきたもの等を用いることができる。また、香料としては、調合香料、天然香料のいずれでもよい。具体的には、『香料と調香の基礎知識』（中島基貴編著，産業図書株式会社，１９９５年６月２１日初版）、『合成香料−化学と商品知識』（印藤元一著、化学工業日報社、２００５年３月２５日 増補改訂版）、『Perfume and Flavor Chemicals」（ステファン・アークテンダー著、自費出版、１９６９年）に記載されている香料を使用することができる。香料として、例えばテルペン炭化水素のリモネン、テルペン系アルコールのリナロール、ゲラニオール、ネロール、シトロネロール、ジヒドロミルセノール、ターピネオール、メントール、ボルネオール、セドロール、脂環式アルコールのアンバーコア、芳香族アルコールのフェニルエチルアルコール、オイゲノール、合成サンダルのサンダルマイソルコア、エーテルのローズオキサイド、アネトール、テルペン系アルデヒドのシトラール、シトロネラール、芳香族アルデヒドのシンナミックアルデヒド、ヘリオナール、バニリン、エチルバニリン、テルペン系ケトンのカンファー、カルボン、イオノン類、ダマスコン、ダマセノン、芳香族ケトンのラズベリーケトン、酢酸エステルの酢酸リナリル、酢酸ベンジル、プロピオン酸エステルのプロピオン酸メチル、サリチル酸エステルのサリチル酸メチル、アンスラニル酸エステルのアンスラニル酸メチル、天然香料のアニス、バジル、ベルガモット、カンファー、カモミル、シトロネラ、クローブ、ユーカリ、グレープフルーツ、ローズ、ジャスミン、ラベンダー、イランイラン、ミント、オレンジ、セージ、ローズマリー等が挙げられる。香料としては、１種を単独で又は２種以上を組み合わせて用いることができる。
【００３６】
失禁パッド１は、液吸収前においては発熱部３と電解質２とを分離した状態に維持し、液吸収時においては発熱部３と電解質２とを接触させる仕切り４を有している。本実施形態における仕切り４は、液吸収前において発熱部３と電解質２との接触を遮断する分離機能を有し、液吸収時において分離機能を消失するシート状物である。斯かるシート状物は、水溶性高分子から形成されており、液又は電解質２が溶解した液と接触して溶解することにより、分離機能を消失するものである。
【００３７】
前記水溶性高分子としては、例えば、ポリビニルアルコール（ＰＶＡ）、ポリエチレングリコール、ポリエチレンオキサイド、ゼラチン、ヒドロキシプロピルメチルセルロース、澱粉、寒天、ポリアクリル酸、ポリエチレンイミン、ポリビニルピロリドン等が挙げられる。また、これらの物質から選ばれる１種又は２種以上を用いることができる。排泄液に対する溶解性の観点から、ポリビニルアルコール（ＰＶＡ）、ポリエチレングリコール、ポリエチレンオキサイド、ゼラチン、ヒドロキシプロピルメチルセルロース、及びポリアクリル酸から選ばれる１種又は２種以上を用いることが好ましい。
【００３８】
また、本実施形態の仕切り４は、発熱部３及び電解質２間のみならず、発熱部３表面全体に配されている（図３参照）。即ち、仕切り４は、発熱部３全体を被覆しており、発熱部の構成部材のこぼれ等を抑制する。
【００３９】
本発明における仕切り４の別の形態として、粉末状の被酸化性金属又は粉末状の電解質２を透過させない大きさの孔や繊維間空間を有するシート状物等が挙げられる。このような仕切り４は、液吸収前においては、発熱部３と電解質２との接触を遮断し、液吸収時においては排泄液と共に発熱部３に含まれる成分（被酸化性金属および活性炭）又は電解質２を透過させて、発熱部３の被酸化性金属および活性炭と電解質２とを接触させる。斯かる仕切り４としては、前述の表面シートやコアラップシートに用いられる液透過性のシートや、水分散性パルプ繊維からなるウエブに接着剤を噴霧含浸させるか、又は水分散性パルプ繊維スラリーに接着剤を添加して抄紙する方法によって得られた紙等が挙げられる。
【００４０】
液吸収時において、排泄液と共に発熱部３に含まれる成分（被酸化性金属および活性炭）又は電解質２を透過させる仕切り４は、発熱部３と電解質２との間に介在される層状のシート状物であることが好ましい（図４参照）。
【００４１】
失禁パッド１は、従来の失禁パッドと同様に、下着のクロッチ部に配して使用することができる。本実施形態の失禁パッド１では、着用状態において排泄液が排泄されると、排泄された液体を吸収したタイミングで、排泄液の水分と仕切り４とが接触して、仕切り４の発熱部３と電解質２とを分離する機能が消失する。これにより、発熱部３の被酸化性金属および活性炭と、失禁パッド１の厚み方向Ｚにおいて発熱部３と隣り合う電解質２とが接触する。その結果、発熱部３の被酸化性金属と排泄液の水分と空気中の酸素とが反応して、被酸化性金属の酸化反応が起き、発熱構造体Ｈが発熱する。前記酸化反応は、発熱部３と電解質２との接触により促進される。この酸化反応に伴う熱が、香料保持組成物５の香料の拡散性を高めるため、失禁パッド１は、排泄時に排泄物由来の臭気を効果的にマスキングすることができる。
一方、液吸収前の失禁パッド１では、排泄液の水分がなく、且つ電解質２と被酸化性金属とが仕切り４により分離されているため、発熱構造体Ｈは発熱しない。これにより、液吸収前の香料の揮散を抑制することができる。このように、失禁パッド１は、排泄された液体を吸収したタイミングで、香料を効率的に揮散させるため、排泄物由来の臭気に対するマスキング効果に優れる。
失禁パッドが、排泄液と共に発熱部３に含まれる成分（被酸化性金属および活性炭）又は電解質２を透過させる仕切り４を有する場合も、上記と同様の効果が奏される。
【００４２】
以下に詳述する本発明の説明は、特に断らない限り、仕切り４が液吸収時において分離機能を消失する形態、及び仕切り４が排泄液と共に発熱部３に含まれる成分（被酸化性金属および活性炭）又は電解質２を透過させる形態の両方に適宜適用される。
【００４３】
前記マスキング効果に関し、電解質２が発熱部３の表面シート１２側に配されている場合、排泄液が裏面シート１３側に移行する際、該排泄液に電解質２が溶解した溶液が発熱部３に移行し、排泄液と被酸化性金属および活性炭と電解質２とが接触する。発熱部３が電解質２の表面シート１２側に配されている場合、排泄液と共に被酸化性金属及び活性炭が電解質２側に移行して、排泄液と被酸化性金属および活性炭と電解質２とが接触する。
【００４４】
マスキング効果の持続性の観点から、前記酸化反応による発熱の持続時間は、長ければ長いほど望ましいが、好ましくは５時間以上、より好ましくは８時間以上、さらに好ましくは１２時間以上である。発熱の持続時間は、ＪＩＳ  Ｓ４１００の方法に準じ測定され、本発明においては、発熱部３の中心温度が４０℃以上を保持している時間と定義する。
【００４５】
発熱構造体Ｈの発熱によって香料をより効果的に揮散させる観点から、発熱部３における被酸化性金属の含有量は、発熱部３の全質量に対して、好ましくは２５質量％以上
８０質量％以下である。
また、発熱部３における被酸化性金属の含有量は、坪量で表して、好ましくは１００ｇ／ｍ２以上、より好ましくは２００ｇ／ｍ２以上であり、また好ましくは３０００ｇ／ｍ２以下、より好ましくは１６００ｇ／ｍ２以下であり、また好ましくは１００ｇ／ｍ２以上３０００ｇ／ｍ２以下、より好ましくは２００ｇ／ｍ２以上１６００ｇ／ｍ２以下である。これにより、発熱温度の制御が容易となる。
被酸化性金属の含有量は、ＪＩＳ  Ｐ８１２８に準じる灰分試験や、熱重量測定器で求めることができる。他に外部磁場を印加すると磁化が生じる性質を利用して振動試料型磁化測定試験等により定量することができる。
発熱の持続性の観点から、発熱部３における活性炭の含有量は、発熱部３の全質量に対して、好ましくは４質量％以上３５質量％以下である。
【００４６】
発熱の持続性の観点から、失禁パッド１における電解質２の含有量は、発熱部３における被酸化性金属１００質量部に対して、好ましくは２質量部以上、より好ましくは３質量部以上であり、また好ましくは１５質量部以下、より好ましくは１２質量部以下であり、また好ましくは２質量部以上１５質量部以下、より好ましくは３質量部以上１２質量部以下である。
【００４７】
本実施形態の失禁パッド１は、その厚み方向Ｚにおいて肌対向面側から吸収体１４、電解質２、発熱部３、及び香料保持組成物５をこの順で備えている（図３参照）。
電解質２は、排泄液の水分によって電解することで、被酸化性金属の酸化反応を促進する。被酸化性金属の酸化反応をより促進する観点から、電解質２は、発熱部３と接触する前に、排泄液と接触することが好ましい。即ち、失禁パッド１の厚み方向において、電解質２は、発熱部３よりも表面シート１２側に配されていることが好ましい。
【００４８】
失禁パッド１では、香料保持組成物５と発熱構造体Ｈとの間に不織布等の別体のシートを介在させていても良いが、発熱構造体Ｈの熱を香料保持組成物５に効果的に伝える観点から、失禁パッド１の厚み方向Ｚにおいて、香料保持組成物５は、発熱部３又は電解質２と隣接した状態に配されていることが好ましい。
【００４９】
仕切り４が発熱部３全体を被覆しているものである場合、発熱部３と空気との接触を効果的に抑制する観点から、仕切り４の厚みは、好ましくは１０μｍ以上、より好ましくは２０μｍ以上であり、また好ましくは７０μｍ以下、より好ましくは６０μｍ以下であり、また好ましくは１０μｍ以上７０μｍ以下、より好ましくは２０μｍ以上６０μｍ以下である。
仕切り４が発熱部３と電解質２との間に介在する層状のものである場合、発熱部３と電解質２との接触を効果的に抑制する観点から、仕切り４の厚みは、好ましくは１μｍ以上、より好ましくは１０μｍ以上であり、また好ましくは７０μｍ以下、より好ましくは６０μｍ以下であり、また好ましくは１μｍ以上７０μｍ以下、より好ましくは１０μｍ以上６０μｍ以下である。
仕切り４の厚みは、以下の方法により測定することができる。
【００５０】
＜仕切りの厚みの測定方法＞
仕切りの厚みはデジタルマイクロスコープを用いて測定できる。例えば、ＫＥＹＥＮＣＥ製ＶＨＸ−１０００を用いて測定できる。具体的には、液吸収前の失禁パッド１を横方向Ｙ方向に沿って厚み方向Ｚに切断した後、前記デジタルマイクロスコープを使用して発熱部３及び電解質２間の仕切り４の断面を２０〜１００倍の倍率で無荷重にて観察し、仕切り４の厚みを測定する。測定は、１つの失禁パッド１において縦方向Ｘに離間した３か所の仕切り４の断面について行い、これら３か所の厚みの平均値を仕切り４の厚みとする。
【００５１】
本発明に係る仕切り４は、液吸収前において発熱部３と電解質２とを分離できればよく、必ずしも発熱部３と空気との接触を抑制するものでなくてもよい。しかしながら、液の吸収を契機とする発熱及び香料の放散をより一層確実にする観点から、仕切り４は、発熱部３全体を被覆し、且つ液吸収前において発熱部３と空気との接触を抑制するシート状物であることが好ましい。斯かる仕切り４は、液吸収時において、前記分離機能の他、発熱部３と空気との接触を抑制する機能も消失するものであることが好ましい。
仕切り４が発熱部３全体を被覆するものである場合、排泄液の排泄のタイミングで、発熱構造体Ｈを効率的に発熱させる観点から、仕切り４の酸素透過度（ＪＩＳ  Ｋ７１２６で規定）は、好ましくは５０（ｃｃ/ｍ２・２４ｈｒ・ａｔｍ）以下、より好ましくは１０（ｃｃ/ｍ２・２４ｈｒ・ａｔｍ）以下である。このような酸素透過度を有する仕切り４の形成材料としては、例えば、ポリビニルアルコール（ＰＶＡ）、ポリエチレンオキサイド、ポリエチレングリコール、ポリアクリル酸等の水溶性高分子等が挙げられる。
【００５２】
排泄物に由来する不快臭のマスキング効果を向上させる観点から、香料は、３０℃以上の温度で揮発することが好ましい。「３０℃以上の温度で揮発する」とは、３０℃における蒸気圧が４．３ｋＰａ以上であることを言う。
【００５３】
排泄液の排泄、又は発熱構造体Ｈの発熱のタイミングで香料を効率的に揮散させる観点から、香料保持組成物５は、排泄液又は熱によって、保持する香料を放出する（即ち、放香する）組成物であることが好ましい。このような組成物として、熱溶解性組成物や水溶性組成物が挙げられる。熱溶解性組成物は、前記酸化反応に伴う熱によって溶解し、保持する香料を放散する組成物である。水溶性組成物は、排泄液の水分と接触することによって溶解し、保持する香料を放散する組成物である。
【００５４】
香料保持組成物５として熱溶解性組成物を備える失禁パッドでは、熱溶解性組成物が保持する香料が、発熱構造体Ｈの発熱によって放散され、さらに該発熱によって広く揮散される。熱溶解組成物は、発熱構造体Ｈの発熱温度によって香料を放散させるものであることが好ましい。熱溶解性組成物は、香料の放散速度が発熱温度の上昇に伴って増加するものであっても良く、一定の温度に達した際に該放散速度が急激に増加するものであっても良い。
熱溶解性組成物としては、ワックス等が挙げられる。
【００５５】
ワックスは、常温（２５℃）で蝋状の固体であり、加熱すると液体となる有機物のことである。ワックスとしては、天然系ワックスと合成樹脂系ワックスとが存在する。
天然系ワックスとしては、石油由来ワックス、鉱物系ワックス、植物系ワックス、動物系ワックスが代表的である。石油由来ワックスとしては、パラフィンワックス（融点が４０〜７０℃程度）、マイクロクリスタリンワックス（融点が６０〜９０℃）等が挙げられる。鉱物系ワックスとしては、モンタンワックス等が挙げられる。植物系ワックスとしては、カルバナワックス、木蝋等が挙げられ、動物系ワックスとしては、蜜蝋（ビーズワックス）等が挙げられる。合成樹脂系ワックスとしては、ポリエチレンワックスや、ポリプロピレンワックスが挙げられる。
ワックスは、これらの物質から選ばれる１種を単独で又は２種以上を組み合わせて用いることができる。前記に例示したワックスのなかでも、安価で容易に入手可能なことから天然系ワックスを用いることが好ましく、特にパラフィンワックス、又はマイクロクリスタリンワックスを用いることが好ましい。
【００５６】
香料保持組成物５が熱溶解性組成物である場合、排泄液による発熱部３と電解質２との接触をより容易にする観点から、失禁パッドの厚み方向において、香料保持組成物５は、発熱部３及び電解質２よりも裏面シート１３側に配されていることが好ましい。
【００５７】
香料保持組成物５として水溶性組成物を備える失禁パッドでは、水溶性組成物によって保持されていた香料が、排泄液の水分によって放散され、さらに、発熱構造体Ｈの発熱によって広く揮散される。
水溶性組成物としては、仕切り４の形成材料に用いられる水溶性高分子等を用いることができる。
【００５８】
香料を容易に揮散させる観点から、水溶性組成物は、香料を封入し得る水溶性マイクロカプセルであることが好ましい。水溶性マイクロカプセルの形成材料としては、ペクチン、カラギーナン、グァーガム等の天然ゲル化剤や、ゼラチン、寒天、グリセリン等が挙げられ、これら１種を単独で又は２種以上を組み合わせて用いることができる。
水溶性マイクロカプセルの平均粒子径は、好ましくは０．１μｍ以上１０００μｍ以下、より好ましくは１μｍ以上５０μｍ以下である。前記平均粒子径は、例えばレーザ回折／散乱式粒子径分布測定装置（ＬＡ−９５０Ｖ２、株式会社堀場製作所製）を用いて粒子径分布を測定することで得ることができる。粒子径分布の測定条件は、フロー法にて、分散媒はエタノール、分散方法は撹拌、内蔵超音波３分、試料濃度は０．１％とする。得られた体積基準の粒子径分布から粒子径の平均値を算出し、これを平均粒子径として定義する。
【００５９】
香料保持組成物が水溶性組成物である場合、香料保持組成物５を排泄液と容易に接触させる観点から、失禁パッドの厚み方向において、香料保持組成物５は、発熱部３及び電解質２よりも表面シート側に配されていることが好ましい。この場合、失禁パッド１は、その厚み方向Ｚにおいて肌対向面側から吸収体１４、香料保持組成物５、発熱構造体Ｈをこの順で備えている（図５参照）。
【００６０】
香料保持組成物５と香料との質量比は、特に制限されないが、香料保持組成物／香料として、好ましくは０．０１以上、より好ましくは０．１以上、また好ましくは１００以下、より好ましくは１０以下である。
【００６１】
失禁パッド１における香料の含有量は特に制限されず、香料の種類等に応じて適宜設定することができる。例えば、吸収性物品１枚当たり０．５ｍｇ以上１００ｍｇ以下の香料を含むことができる。
【００６２】
排泄液を被酸化性金属及び電解質に容易に接触させる観点から、発熱部３及び電解質２は少なくとも排泄部対向部Ｂに配されていることが好ましい。発熱部３は、縦方向Ｘにおいて排泄部対向部Ｂから前方部Ａ及び後方部Ｃの何れか一方又は双方にわたって延在していても良い。
【００６３】
失禁パッド１の平面視において、発熱部３及び電解質２は、吸収性コアと少なくとも部分的に重なっていれば良い。発熱部３と吸収性コアとが重なっている部分の面積は、吸収性コアの面積に対して、好ましくは１０％以上、より好ましくは２０％以上であり、また好ましくは１００％以下、より好ましくは９０％以下であり、また好ましくは１０％以上１００％以下、より好ましくは２０％以上９０％以下である。電解質２と吸収性コアとが重なっている部分の面積は、吸収性コアの面積に対して、好ましくは２０％以上、より好ましくは４０％以上であり、また好ましくは１００％以下、より好ましくは８０％以下であり、また好ましくは２０％以上１００％以下、より好ましくは４０％以上８０％以下である。
【００６４】
失禁パッド１の平面視において、香料保持組成物５は、少なくとも排泄部対向部Ｂに配されていることが好ましい。香料保持組成物５は、縦方向Ｘにおいて排泄部対向部Ｂから前方部Ａ及び後方部Ｃの何れか一方又は双方にわたって延在していても良い。
失禁パッド１の平面視において、香料保持組成物５は、吸収性コアと少なくとも部分的に重なっていれば良い。香料保持組成物５と吸収性コアとが重なっている部分の面積は、吸収性コアの面積に対して、好ましくは１５％以上、より好ましくは４０％以上であり、また好ましくは１００％以下、より好ましくは８０％以下であり、また好ましくは１５％以上１００％以下、より好ましくは４０％以上８０％以下である。
香料保持組成物５が熱溶解性組成物である場合、失禁パッド１の平面視において、香料保持組成物５は、発熱部３と少なくとも部分的に重なっていることがより好ましく、発熱部３の全域と重なっていることがさらに好ましい。
【００６５】
上述の構成を有する失禁パッドの製造方法について説明する。失禁パッド１は、吸収体１４、電解質２、発熱部３、及び香料保持組成物５を積層して、即ちこれらを重ねて配することにより製造することができる。失禁パッド１に発熱部３、電解質２及び香料保持組成物５のそれぞれを配する方法は特に制限されず、それぞれの形態に応じて公知の方法を適宜採用することができる。例えば、発熱部３を構成する組成物、電解質２及び香料保持組成物５は、常温又は加熱によって流動性を有する場合に塗工することができ、固体（粉体）である場合に散布することができる。塗工手段としては、ノズルによる滴下又はスプレーによる噴霧、ブラシによる塗布、ダイコーティング等が挙げられる。
【００６６】
発熱部３を構成する組成物及び電解質２は、吸収体１４よりも裏面シート１３側に配された別体のシート、吸収体１４の非肌対向面、又は仕切り４の肌対向面若しくは非肌対向面に配される。また、香料保持組成物５は、吸収体１４よりも裏面シート１３側に配された別体のシート、吸収体１４の非肌対向面、又は裏面シート１３の肌対向面に配される。発熱部３を構成する組成物、電解質２又は香料保持組成物５が配される別体のシートとしては、前述の表面シートやコアラップシートに用いられる液透過性のシート等を用いることができる。
【００６７】
図１に示す失禁パッド１の製造方法の一例を以下に示す。先ず、伸張状態の弾性部材１６が固定された防漏カフの連続シートを、表面シート１２の連続シートの両側に接合した連続複合材を得る。次いで、裏面シート１３の連続シートの片方の面に、香料を保持する香料保持組成物５を配する。香料保持組成物５は、前述した方法によって配される。次いで、被酸化性金属及び活性炭を含む混合物を膜状の仕切り４で被覆した被覆体を、裏面シート１３の香料保持組成物５の上に載置し、該被覆体の上にさらに電解質２を配する。次いで、電解質２の上に吸収体１４を載置し、さらに吸収体１４の上に連続複合材を配して、該連続複合材と裏面シート１３の連続シートとを接合した後、該吸収体１４のない箇所で順次切断して、個々の失禁パッドを製造する。
【００６８】
仕切り４が図４に示すように、発熱部３と電解質２との間に介在される層状のものである場合（図４参照）、裏面シート１３の香料保持組成物５の上に発熱部３を配した後、該発熱部３の上に層状の仕切り４を載置する。
また、図５に示すように、失禁パッド１の厚み方向Ｚにおいて肌対向面側から吸収体１４、香料保持組成物５、電解質２、及び発熱部３をこの順で備えている場合、香料保持組成物５を吸収体１４の片方の面に配し、失禁パッド１の厚み方向Ｚにおいて香料保持組成物５と電解質２とが隣り合うように、吸収体１４と発熱構造体Ｈとを積層して、失禁パッドを製造することができる。
【００６９】
以上、本発明について説明したが、本発明は前述した実施形態に制限されず、本発明の趣旨を逸脱しない範囲で適宜変更可能である。
例えば、本発明の吸収性物品は、失禁パッドの他、使い捨ておむつや生理用ナプキン等であっても良い。
【符号の説明】
【００７０】
１  失禁パッド
２  電解質
３  発熱部
４  仕切り
５  香料保持組成物
１２  表面シート
１３  裏面シート
１４  吸収体
１５  防漏カフ
【図１】
2019195414.tif 000003
【図２】
2019195414.tif 000004
【図３】
2019195414.tif 000005
【図４】
2019195414.tif 000006
【図５】
2019195414.tif 000007